(57)【要約】【課題】色覚障害者の画像識別性を向上させる。【解決手段】色覚障害者が識別困難な色と識別容易な色とを対応づけた色変換情報に基づいて、入力画像中の識別困難な色を対応する識別容易な色に変換して色変換画像を出力し、色変換画像の輪郭線を抽出し、入力画像または色変換画像の明度を算出し、色変換画像の輪郭線の明度と、入力画像または色変換画像の明度との差が所定の値以上となるよう、色変換画像の輪郭線の色を変換する。【選択図】図１
2013058166.tif 000002
【特許請求の範囲】
【請求項１】
色覚障害者が識別困難な色と識別容易な色とを対応づけた色変換情報に基づいて、入力画像中の識別困難な色を対応する識別容易な色に変換して色変換画像を出力する画像色変換部と、
前記色変換画像の輪郭線を抽出する輪郭抽出部と、
前記入力画像または前記色変換画像の明度を算出する明度算出部と、
前記色変換画像の輪郭線の明度と、前記入力画像または前記色変換画像の明度との差が所定の値以上となるよう、前記色変換画像の輪郭線の色を変換する輪郭色変換部と、
を備える画像変換システム。
【請求項２】
請求項１に記載の画像変換システムであって、
前記輪郭色変換部は、前記画像色変換部から出力される色変換画像で使用されていない色に前記色変換画像の輪郭線の色を変換する、
画像変換システム。
【請求項３】
請求項１または２に記載の画像変換システムであって、
前記輪郭抽出部は、前記入力画像の輪郭線を抽出することにより前記色変換画像の輪郭線を抽出する、
画像変換システム。
【請求項４】
請求項３に記載の画像変換システムであって、
前記輪郭抽出部は、前記画像色変換部による色変換と並行して前記入力画像の輪郭線を抽出する、
画像変換システム。
【請求項５】
請求項１〜４の何れか一項に記載の画像変換システムであって、
前記色変換情報には、色覚障害者が識別容易な複数の色を示す情報が含まれ、
前記画像色変換部は、前記入力画像中の各画素の色を前記色変換情報によって示される複数の色のうちの最も近い色に変換する、
画像変換システム。
【請求項６】
請求項１〜５の何れか一項に記載の画像変換システムであって、
前記画像色変換部は、色の対応付けが異なる複数種類の色変換情報のうち、ユーザから選択される１つの色変換情報に基づいて前記入力画像を前記色変換画像に変換する、
画像変換システム。
【請求項７】
色覚障害者が識別困難な色と識別容易な色とを対応づけた色変換情報に基づいて、入力画像中の識別困難な色を対応する識別容易な色に変換して色変換画像を出力し、
前記色変換画像の輪郭線を抽出し、
前記入力画像または前記色変換画像の明度を算出し、
前記色変換画像の輪郭線の明度と、前記入力画像または前記色変換画像の明度との差が所定の値以上となるよう、前記色変換画像の輪郭線の色を変換する、
画像変換方法。
【請求項８】
コンピュータに、
色覚障害者が識別困難な色と識別容易な色とを対応づけた色変換情報に基づいて、入力画像中の識別困難な色を対応する識別容易な色に変換して色変換画像を出力する機能と、
前記色変換画像の輪郭線を抽出する機能と、
前記入力画像または前記色変換画像の明度を算出する機能と、
前記色変換画像の輪郭線の明度と、前記入力画像または前記色変換画像の明度との差が所定の値以上となるよう、前記色変換画像の輪郭線の色を変換する機能と、
を実現させるためのプログラム。
【発明の詳細な説明】
【技術分野】
【０００１】
本発明は、画像変換システム、画像変換方法及びプログラムに関する。
【背景技術】
【０００２】
色覚障害者が識別しやすい画像となるように画像を変換する画像変換システムが用いられることがある。例えば、特許文献１には、ユーザから入力されたパラメータに基づいて、画像の白黒反転や拡大、色の変換などを実行可能なシステムが開示されている。また、特許文献２には、色覚タイプに応じた色変換用のテーブルに基づいて画像の色を変換するシステムが開示されている。また、特許文献３や特許文献４には、画像のエッジ領域の色を変換するシステムが開示されている。
【先行技術文献】
【特許文献】
【０００３】
【特許文献１】特開２００６−０８８５７３号公報
【特許文献２】特開２０１０−０４１６９３号公報
【特許文献３】特開２００７−１２２３４０号公報
【特許文献４】特開２０１０−１４８０６５号公報
【発明の概要】
【発明が解決しようとする課題】
【０００４】
上述のように、色覚障害者の画像識別を補助するための様々なシステムが提案されているが、画像によっては上述のシステムによる変換では識別性に問題が生じる場合がある。例えば、特許文献３に開示されているシステムでは、エッジ領域の色は白色に変換されるが、画像の明度が高い場合においては、白色では識別しづらい場合もある。同様に、例えば、特許文献４に開示されているシステムでは、エッジ領域が周囲と同一混同色線上とならないようにエッジ領域の色が変換されるが、同一混同色線とならないように変換されるだけでは、エッジ領域を識別しづらい場合も考えられる。
【０００５】
本発明はこのような事情に鑑みてなされたものであり、色覚障害者の画像識別性を向上させることを目的とする。
【課題を解決するための手段】
【０００６】
本発明の一側面に係る画像変換システムは、色覚障害者が識別困難な色と識別容易な色とを対応づけた色変換情報に基づいて、入力画像中の識別困難な色を対応する識別容易な色に変換して色変換画像を出力する画像色変換部と、色変換画像の輪郭線を抽出する輪郭抽出部と、入力画像または色変換画像の明度を算出する明度算出部と、色変換画像の輪郭線の明度と、入力画像または色変換画像の明度との差が所定の値以上となるよう、色変換画像の輪郭線の色を変換する輪郭色変換部と、を備える。
【０００７】
なお、本発明において、「部」とは、単に物理的手段を意味するものではなく、その「部」が有する機能をソフトウェアによって実現する場合も含む。また、１つの「部」や装置が有する機能が２つ以上の物理的手段や装置により実現されても、２つ以上の「部」や装置の機能が１つの物理的手段や装置により実現されても良い。
【発明の効果】
【０００８】
本発明によれば、色覚障害者の画像識別性を向上させることが可能となる。
【図面の簡単な説明】
【０００９】
【図１】本発明の第１の実施形態の画像変換システムの構成を示す図である。
【図２】色セット対応表の一例を示す図である。
【図３】第１の実施携帯における画像変換システムの動作の一例を示すフローチャートである。
【図４】本発明の第２の実施形態の画像変換システムの構成を示す図である。
【図５】第２の実施携帯における画像変換システムの動作の一例を示すフローチャートである。
【発明を実施するための形態】
【００１０】
以下、図面を参照して本発明の一実施形態について説明する。
【００１１】
図１は、本発明の第１の実施形態の画像変換システムの構成を示す図である。画像変換システム１０は、入力される画像を色覚障害者が識別容易な画像に変換して出力するシステムであり、１台または複数台の情報処理装置を用いて構成される。図１に示すように、画像変換システム１０は、画像入力部２０、色セット対応表記憶部２２、画像色変換部２４、輪郭抽出部２６、明度算出部２８、輪郭色変換部３０、及び画像出力部３２を含んで構成される。なお、画像変換システム１０を構成する各部は、メモリや記憶装置等の記憶領域を用いたり、記憶領域に記憶されているプログラムをプロセッサが実行したりすることにより実現することができる。
【００１２】
画像入力部２０は、例えばＲＧＢ値で表現されている画像を処理対象の画像として画像変換システム１０に入力する。ここで、画像入力部２０が入力する画像は、例えば、所定の記憶領域にあらかじめ記憶されているものでもよいし、ネットワークや放送などを介して取得されるものであってもよい。また、画像は１枚だけの静止画であってもよいし、複数フレームの静止画により構成される動画であってもよい。また、画像の形式はＲＧＢ形式に限られず、ＨＳＶ形式やＨＬＳ形式等の他の形式の画像を処理対象とすることも可能である。
【００１３】
色セット対応表記憶部２２は、色覚障害者が識別困難な色と識別容易な色とを対応づけた色変換情報である色セット対応表を記憶する。本実施形態では、例えば、赤緑色盲者を対象とした色セット対応表が記憶されている。図２は、色セット対応表の一例を示す図である。図２に示すように、色セット対応表は、各ＲＧＢ値と、健常者及び赤緑色盲者の両者が識別可能なＲＧＢ値のセット（色セット）とを対応付けるものとなっている。図２の例では、ＲＧＢ値は８ビット×３ビットで表されており、各ＲＧＢ値に対して色セットの中の何れか１つの色（変換色）へのインデックスが設定されている。この対応付けは、例えば、ＲＧＢ値を色相・明度・彩度に変換した際の色空間上の距離が最も小さくなるように作成されている。なお、図２の例では、色セット対応表には、全てのＲＧＢ値についての対応情報が設定されることとしたが、変換が必要なＲＧＢ値のみについての対応情報が設定されることとしてもよい。
【００１４】
画像色変換部２４は、入力画像の各画素について、色セット対応表記憶部２２に記憶されている色セット対応表に基づいて、色セットの中の何れか１つの色に変換し、色変換画像を出力する。具体的には、各画素のＲＧＢ値をキーとして変換色へのインデックスを取得し、該インデックスを用いて変換色のＲＧＢ値を取得する。なお、色セット対応表に、変換が必要なＲＧＢ値のみについての対応情報が設定される場合においては、画像色変換部２４は、ＲＧＢ値が色セット対応表に設定されている場合のみ色変換を行えばよい。
【００１５】
輪郭抽出部２６は、入力画像内の輪郭線を抽出する。なお、輪郭線の抽出は、例えば、入力画像を４×４のブロックに分割したうえでエッジフィルタにかけるなど、任意の手法を用いて行うことが可能である。
【００１６】
明度算出部２８は、入力画像の明度を算出する。例えば、明度算出部２８は、画像全体の明度の平均値を算出する。なお、明度算出部２８は、（αＲ＋βＧ＋γＢ）／３のようにＲＧＢの各値に対して重みづけを行い、色相が異なり明度が同じ色が別の値となるようにしたうえで画面全体の明度の平均値を算出することが可能である。
【００１７】
輪郭色変換部３０は、色覚障害者が画像の輪郭線を識別しやすくなるように輪郭線の色を変換するものであり、輪郭色選択部４０及び画像合成部４２を含んで構成される。
【００１８】
輪郭色選択部４０は、明度算出部２８で算出された入力画像の明度に基づいて、輪郭線と輪郭線以外の部分とのコントラストが大きくなる色を色セット対応表から選択する。つまり、輪郭色選択部４０は、輪郭線の明度と、入力画像の明度との差が所定の値以上となるように、輪郭線の色を変換する。例えば、輪郭色変換部３０は、明度算出部２８で算出された明度が所定の閾値より低い、すなわち全体的に比較的暗い画像である場合には、輪郭線の色として「白」を選択する。一方、輪郭色変換部３０は、明度算出部２８で算出された明度が所定の閾値以上である、すなわち全体的に比較的明るい画像である場合には、輪郭線の色として「黒」を選択する。
【００１９】
なお、選択される輪郭線の色は白／黒の二色に限らず、色覚障害者が識別可能な色セットの中の色であれば、白／黒以外の色とすることも可能である。例えば、画像の平均明度と輪郭線の色との対応関係を示す情報を記憶しておき、この情報に基づいて輪郭線の色が選択されることとしてもよい。また、例えば、画像の平均明度に所定の閾値を加算または減算した値の明度を有するＲＧＢ値を算出し、このＲＧＢ値に最も近い色を色セットの中から選択するなど、輪郭線の明度と、入力画像の明度との差が所定の値以上となる色を計算により求めてもよい。また、画像内の輪郭線の色を全て同じ色にするのではなく、画像内をいくつかに分割した領域ごとに平均明度が算出され、この領域ごとに、平均明度に基づいて輪郭線の色が選択されることとしてもよい。
【００２０】
また、輪郭色選択部４０は、画像色変換部２４から出力される色変換画像で使用されていない色を色セットの中から選択することとしてもよい。例えば、画像色変換部２４が色変換を行う際に、色変換画像において使用した色を示す情報を記憶しておき、輪郭色選択部４０がこの情報を参照することにより、色変換画像で使用されていない色を色セットの中から選択することが可能である。
【００２１】
画像合成部４２は、画像色変換部２４から出力される色変換画像と、輪郭色選択部４０から出力される色が変換された輪郭線とを合成した画像を出力する。すなわち、画像合成部４２は、色変換画像の輪郭線を輪郭色選択部４０で選択された色に変換した画像を出力する。
【００２２】
画像出力部３２は、画像合成部４２から出力される色変換画像をディスプレイ装置等に出力する。なお、画像出力部３２は、ネットワーク経由で他のコンピュータに画像を出力することとしてもよい。
【００２３】
図３は、画像変換システム１０の動作の一例を示すフローチャートである。まず、画像入力部２０は、記憶領域あるいは外部から入力画像を読み取り、画像変換システム１０に入力する（Ｓ３０１）。なお、画像入力部２０は、圧縮された入力画像を展開したり、符号化された入力画像を復号したりすることも可能である。続いて、画像色変換部２４は、入力画像の各画素の色を色セット対応表に基づいて変換し、色変換画像を出力する（Ｓ３０２）。また、画像色変換部２４による色変換処理と並行して、輪郭抽出部２６が、入力画像の輪郭線を抽出し（Ｓ３０３）、明度算出部２８が、入力画像全体の平均明度を算出する（Ｓ３０４）。算出された明度が所定の閾値より低い場合（Ｓ３０５：Ｙ）、輪郭色選択部４０は、色セット対応表を参照し、輪郭線の色として例えば白を選択する（Ｓ３０６）。一方、算出された明度が所定の閾値以上の場合（Ｓ３０５：Ｎ）、輪郭色選択部４０は、色セット対応表を参照し、輪郭線の色として例えば黒を選択する（Ｓ３０７）。そして、画像合成部４２は、選択された色の輪郭線を色変換画像に合成し（Ｓ３０８）、画像出力部３２は、合成された色変換画像を出力する（Ｓ３０９）。
【００２４】
このように、本実施形態によれば、入力画像の各画素の色を健常者及び色覚障害者がともに識別可能な色に変換したうえで、さらに、入力画像の明度に基づいて、輪郭線と輪郭線以外の部分とのコントラストが大きくなるように輪郭線の色が変換される。したがって、入力画像の明度によらず、色覚障害者の画像識別性が向上される。そのため、例えば、健常者が作成したスライドや看板の画像を色覚障害者にも識別しやすい画像に変換することが可能となり、健常者にも色覚障害者にも識別しやすいバリアフリーな物を作成するなどの用途に適用することが可能である。また、画像内の輪郭線は、抽出されたうえで色覚障害者が識別しやすい色に変換されるため、健常者と色覚障害者とが、画像の背景と本体とを同じように識別することが可能となる。
【００２５】
また、本実施形態において、画像色変換部２４から出力される色変換画像で使用されていない色が輪郭線の色として選択されることにより、輪郭線の識別性を向上させることが可能となる。
【００２６】
なお、本実施形態では、入力画像から輪郭線を抽出することにより色変換画像の輪郭線を抽出することとしたが、画像色変換部２４から出力される色変換画像から輪郭線を抽出することとしてもよい。ただし、本実施形態で示したように入力画像から輪郭線を抽出することにより、輪郭線の抽出処理を画像色変換部２４での色変換処理と並行して実行することが可能となり、画像変換処理の高速化が可能となる。
【００２７】
また、本実施形態では、入力画像の明度に基づいて輪郭線の色を選択することとしたが、画像色変換部２４から出力される色変換画像の明度に基づいて輪郭線の色を選択することとしてもよい。ただし、本実施形態で示したように入力画像の明度に基づいて輪郭線の色を選択することにより、明度の算出処理を画像色変換部２４での色変換処理と並行して実行することが可能となり、画像変換処理の高速化が可能となる。
【００２８】
次に、本発明の第２の実施形態について説明する。図４は、本発明の第２の実施形態の画像変換システムの構成を示す図である。なお、第１の実施形態の画像変換システム１０と同様の構成要素については同一の符号を付して説明を省略する。
【００２９】
図４に示すように、画像変換システム１０Ａにおいて、色セット対応表記憶部５０は、複数の色セット対応表を記憶している。これら複数の色セット対応表は、色覚障害者が識別困難な色と識別容易な色との対応関係が異なるものであり、予め作成されている。また、複数の色セット対応表の変換色を複数の被験者に提示して各色セット対応表の識別しやすさを判別してもらい、各色セット対応表の識別しやすさを示すヒストグラムを作成するなどの事前作業を行うことにより、色セット対応表は識別容易性の高い順に順序づけされて色セット対応表記憶部５０に格納されている。
【００３０】
また、図４に示すように、画像変換システム１０Ａは、複数の色セット対応表の中から１つを選択する色セット対応表選択部５２を有している。色セット対応表選択部５２は、識別容易性の高い順に色セット対応表を選択し、画像変換で用いる色セット対応表をユーザ入力に応じて確定させることができる。なお、画像変換システム１０Ａにおいては、色セット対応表選択部５２によって選択された１つの色セット対応表が、第１の実施形態の画像変換システム１０と同様に、画像色変換部２４や輪郭色選択部４０によって使用されることとなる。
【００３１】
図５は、画像変換システム１０Ａの動作の一例を示すフローチャートである。まず、画像入力部２０は、記憶領域あるいは外部から入力画像を読み取り、画像変換システム１０Ａに入力する（Ｓ５０１）。続いて、色セット対応表選択部５２は、色セット対応表を選択するための変数ｉに初期値「１」を設定する（Ｓ５０２）。そして、色セット対応表選択部５２は、色セット対応表記憶部５０に記憶されている複数の色セット対応表の中から、識別容易性がｉ番目の色セット対応表を選択する（Ｓ５０３）。
【００３２】
画像色変換部２４は、入力画像の各画素の色を、色セット対応表選択部５２により選択された色セット対応表に基づいて変換し、色変換画像を出力する（Ｓ５０４）。そして、画像出力部３２は、画像色変換部２４から出力される色変換画像をディスプレイ装置等に出力する（Ｓ５０５）。
【００３３】
色セット対応表選択部５２は、色変換画像がディスプレイ装置等に表示されている状態において、ユーザがこの画像を見やすいかどうかを示す情報、すなわち、この画像に対する識別容易性を入力するためのユーザインタフェースをディスプレイ装置等に表示し、ユーザの識別結果を受け付ける（Ｓ５０６）。そして、識別が容易ではないと入力された場合（Ｓ５０７：Ｎ）、色セット対応表選択部５２は、変数ｉを１加算し、識別容易性がｉ番目の色セット対応表を選択してユーザの識別容易性を確認する処理を再度実行する（Ｓ５０３〜Ｓ５０７）。この処理が、ユーザが識別容易な色セット対応表が選択されるまで繰り返し実行される。なお、全ての色セット対応表について識別容易ではないことが入力された場合には、色セット対応表選択部５２は、その旨を示すメッセージを表示したうえで、変数ｉを「１」に初期化して再度選択処理を実行したり、あるいは、１番に順序づけされている色セット対応表などの所定の色セット対応表を選択したりするなど、任意の手法により１つの色セット対応表を選択することとすればよい。
【００３４】
そして、識別が容易であると入力されると（Ｓ５０７：Ｙ）、画像色変換部２４は、入力画像の各画素の色を色セット対応表に基づいて変換し、色変換画像を出力する（Ｓ５０９）。また、画像色変換部２４による色変換処理と並行して、輪郭抽出部２６が、入力画像の輪郭線を抽出し（Ｓ５１０）、明度算出部２８が、入力画像全体の平均明度を算出する（Ｓ５１１）。算出された明度が所定の閾値より低い場合（Ｓ５１２：Ｙ）、輪郭色選択部４０は、選択された色セット対応表を参照し、輪郭線の色として例えば白を選択する（Ｓ５１３）。一方、算出された明度が所定の閾値以上の場合（Ｓ５１２：Ｎ）、輪郭色選択部４０は、選択された色セット対応表を参照し、輪郭線の色として例えば黒を選択する（Ｓ５１４）。そして、画像合成部４２は、選択された色の輪郭線を色変換画像に合成し（Ｓ５１５）、画像出力部３２は、合成された色変換画像を出力する（Ｓ５１６）。なお、画像合成部４２は、色セット対応表を選択する際に生成された色変換画像（Ｓ５０４）に、色が変換された輪郭線を合成する（Ｓ５１５）こととしてもよい。この場合、色セット対応表が選択された後に色変換画像を生成する処理（Ｓ５０９）は不要となる。
【００３５】
このように、本実施形態によれば、複数の色セット対応表の中からユーザの識別容易性が高い色セット対応表を選択可能であるため、色覚障害者の個人差を考慮して、画像識別性を向上させることが可能となる。
【００３６】
なお、第１及び第２の実施形態に示した本実施形態は、本発明の理解を容易にするためのものであり、本発明を限定して解釈するためのものではない。本発明は、その趣旨を逸脱することなく、変更／改良され得るととともに、本発明にはその等価物も含まれる。
【００３７】
例えば、本実施形態では、画像変換システム１０，１０Ａを構成する各部が設けられている情報処理装置について示していないが、全ての機能が同一の情報処理装置もしくは同一の場所に設けられている必要はなく、複数の情報処理装置や複数の場所に分散して設けられていることとしてもよい。例えば、一部の機能がサーバに設けられ、別の一部の機能がクライアント装置に設けられていることとしてもよい。具体的には、例えば、画像変換システム１０において、色セット対応表記憶部２２がサーバに設けられ、画像色変換部２４がクライアント装置に設けられていることとしてもよい。この場合において、色セット対応表記憶部２２は検索機能を備え、画像色変換部２４から入力されるＲＧＢ値をキーとして色セット対応表を検索し、対応するＲＧＢ値を出力するように構成することができる。画像変換システム１０Ａにおいても同様に、例えば、色セット対応表記憶部５０及び色セット対応表選択部５２がサーバに設けられ、画像色変換部２４がクライアント装置に設けられていることとしてもよい。
【００３８】
本実施形態の一部又は全部は、以下の付記のようにも記載されうるが、以下には限られない。
（付記１）色覚障害者が識別困難な色と識別容易な色とを対応づけた色変換情報に基づいて、入力画像中の識別困難な色を対応する識別容易な色に変換して色変換画像を出力する画像色変換部と、前記色変換画像の輪郭線を抽出する輪郭抽出部と、前記入力画像または前記色変換画像の明度を算出する明度算出部と、前記色変換画像の輪郭線の明度と、前記入力画像または前記色変換画像の明度との差が所定の値以上となるよう、前記色変換画像の輪郭線の色を変換する輪郭色変換部と、を備える画像変換システム。
（付記２）付記１に記載の画像変換システムであって、前記輪郭色変換部は、前記画像色変換部から出力される色変換画像で使用されていない色に前記色変換画像の輪郭線の色を変換する、画像変換システム。
（付記３）付記１または２に記載の画像変換システムであって、前記輪郭抽出部は、前記入力画像の輪郭線を抽出することにより前記色変換画像の輪郭線を抽出する、画像変換システム。
（付記４）付記３に記載の画像変換システムであって、前記輪郭抽出部は、前記画像色変換部による色変換と並行して前記入力画像の輪郭線を抽出する、画像変換システム。
（付記５）付記１〜４の何れか一項に記載の画像変換システムであって、前記色変換情報には、色覚障害者が識別容易な複数の色を示す情報が含まれ、前記画像色変換部は、前記入力画像中の各画素の色を前記色変換情報によって示される複数の色のうちの最も近い色に変換する、画像変換システム。
（付記６）付記１〜５の何れか一項に記載の画像変換システムであって、前記画像色変換部は、色の対応付けが異なる複数種類の色変換情報のうち、ユーザから選択される１つの色変換情報に基づいて前記入力画像を前記色変換画像に変換する、画像変換システム。
（付記７）色覚障害者が識別困難な色と識別容易な色とを対応づけた色変換情報に基づいて、入力画像中の識別困難な色を対応する識別容易な色に変換して色変換画像を出力し、前記色変換画像の輪郭線を抽出し、前記入力画像または前記色変換画像の明度を算出し、前記色変換画像の輪郭線の明度と、前記入力画像または前記色変換画像の明度との差が所定の値以上となるよう、前記色変換画像の輪郭線の色を変換する、画像変換方法。
（付記８）コンピュータに、色覚障害者が識別困難な色と識別容易な色とを対応づけた色変換情報に基づいて、入力画像中の識別困難な色を対応する識別容易な色に変換して色変換画像を出力する機能と、前記色変換画像の輪郭線を抽出する機能と、前記入力画像または前記色変換画像の明度を算出する機能と、前記色変換画像の輪郭線の明度と、前記入力画像または前記色変換画像の明度との差が所定の値以上となるよう、前記色変換画像の輪郭線の色を変換する機能と、を実現させるためのプログラム。
【符号の説明】
【００３９】
１０，１０Ａ  画像変換システム
２０  画像入力部
２２，５０  色セット対応表記憶部
２４  画像色変換部
２６  輪郭抽出部
２８  明度算出部
３０  輪郭色変換部
３２  画像出力部
４０  輪郭色選択部
４２  画像合成部
５２  色セット対応表選択部
【図１】
2013058166.tif 000003
【図２】
2013058166.tif 000004
【図３】
2013058166.tif 000005
【図４】
2013058166.tif 000006
【図５】
2013058166.tif 000007